【事件の表示】
　特許第２８９０６８９号「レンズ移動装置」の特許に対する特許異議の申立てについて、次のとおり決定する。
【結　論】
　訂正を認める。
　特許第２８９０６８９号の特許を維持する。
【理　由】
（１）手続きの経緯
　本件特許第２８９０６８９号発明は、平成２年６月１４日に特許出願され、平成１１年２月２６日にその発明の特許がなされ、その後、筒井　康文より特許異議の申立てがなされ、取消理由通知がなされ、その指定期間内である平成１２年４月１８日に訂正請求がなされたものである。
（２）訂正の適否についての判断
（ｉ）特許請求の範囲の訂正
ア.訂正明細書の請求項１に係る発明
　訂正明細書の請求項１に係る発明は、その特許請求の範囲の請求項１に特定された次のとおりのものである。
　「【請求項１】レンズを保持するレンズ枠と、このレンズ枠を光軸方向に移動可能に保持する２本のガイドポールで構成された第１のガイド手段と、送りねじを有するモータ軸と一体の駆動軸と、この駆動軸の送りねじの円周１８０°以下に螺合する切欠けナットを有する駆動片と、この駆動片を前記駆動軸と平行に摺動かつ回動可能に保持するモータ取付体に配設された１本のガイドポールで構成される第２のガイド手段とを備えたレンズ移動装置であって、前記駆動片は前記駆動軸に挟み込む手段であるアームを備え、前記駆動片と前記レンズ枠とは光軸方向には隙間なく光軸の直角方向には隙間をもって挿入係合され、前記駆動軸の回転により前記駆動片を光軸方向に駆動させると共に、レンズ枠を駆動することによりレンズを移動するレンズ移動装置。」
（ｉｉ）発明の詳細な説明の訂正
ア.明細書中の課題を解決するための手段の欄(特許掲載公報第３欄第４２行)の「隙間なく挿入係合され」を「隙間なく光軸の直角方向には隙間をもって挿入係合され」と訂正する。
（ｉｉｉ）訂正の目的の適否及び拡張・変更の存否等
　上記訂正（ｉ）は、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正（ｉｉ）は、特許請求の範囲の訂正に付随する訂正であるから、発明の詳細な説明の欄中の明瞭でない記載の釈明を目的とするものであり、願書に添付した明細書又は図面に記載された事項の範囲内のものであり、新規事項の追加もない。
（ｉｖ）独立特許要件の判断
（引用刊行物に記載された発明）
訂正前明細書の請求項１に係る発明に対して、
当審が通知した取消理由で引用した（実願昭６３−１５００８１号〔実開平２−７１１５５号公報〕のマイクロフイルム）（以下「第１引用例」という。）には、レンズ２を保持するレンズ枠３と、このレンズ枠３を光軸方向に移動可能に保持する２本のレール１、８で構成された第１のガイド手段と、送りねじを有するモータ軸と一体のスクリュー軸１１と、このスクリュー軸１１の送りねじの円周１８０°以下に螺合する切欠けナットを有する可動部２３とを備えたレンズ移動装置であって、前記可動部２３は前記スクリュー軸１１に挟み込む手段であるばね材７を備え、前記スクリュー軸１１の回転により前記可動部２３を光軸方向に駆動させると共に、レンズ枠３を駆動することによりレンズ２を移動するレンズ移動装置、が記載され、同じく引用した特開昭５６−１１６６２号公報（以下、「第２引用例」という。）には、移送ナット５を移送ネジ４と平行に摺動かつ回転可能に保持するガイド６が記載され、同じく引用した特開昭６０−２３７２５９号公報（以下、「第３引用例」という。）には、被駆動体１を軸方向に移動可能に保持する案内軸１と、送りねじ６の雌ねじ部８ｂを有する半割ナット８とを備えた駆動装置であって、前記半割ナット８は、送りねじ６に挟み込む手段である腕８ｃ、８ｄを備え、前記半割ナット８と前記被駆動体１とはばね９によって密接一体化され、前記送りねじ６の回転により前記半割ナット８を軸方向に駆動させるものが記載され、同じく引用した（実願昭６０−１５３３０２号〔実開昭６２−６３８６８号公報〕のマイクロフイルム）（以下「第４引用例」という。）には、送りネジ５の円周１８０°以下に螺合するラック部９を有する移動体１が、送りネジ５に挟み込む手段である板ばねを備え、前記送りネジ５の回転により移動体１を軸方向に駆動させるヘッド送り機構が記載され、同じく引用した特開平１−２６５２１５号公報（以下、「第５引用例」という。）には、マスタレンズ系５を保持する内筒２４と、リードスクリュー１０と、このリードスクリュー１０に螺合する駆動枠２８と、この駆動枠２８を前記リードスクリュー１０と平行に摺動かつ回動可能に保持するシャフトガイド２９とを備えたオートフォーカス装置であって、前記駆動枠２８と前記内筒２４とは連結棒３０で連結され、前記リードスクリュー１０の回転により前記駆動枠２８を光軸方向に駆動させると共に、内筒２４を駆動することによりマスタレンズ系５を移動するものが記載されている。
（請求項１に係る発明についての対比・判断）
〈第２９条第２項〉
　本件請求項１に係る発明と第１引用例に
記載の発明とを対比すると、本件請求項１に係る発明の「レンズ」、「レンズ枠」、「ガイドポール」、「駆動軸」、「駆動片」、「アーム」は、夫々第１引用例に記載の発明の「レンズ２」、「レンズ枠３」、「レール１、８」、「スクリュー軸１１」、「可動部２３」、「ばね材７」に相当するから、両者は、レンズを保持するレンズ枠と、このレンズ枠を光軸方向に移動可能に保持する２本のガイドポールで構成された第１のガイド手段と、送りねじを有するモータ軸と一体の駆動軸と、この駆動軸の送りねじの円周１８０°以下に螺合する切欠けナットを有する駆動片とを備えたレンズ移動装置であって、前記駆動片は前記駆動軸に挟み込む手段であるアームを備え、前記駆動軸の回転により前記駆動片を光軸方向に駆動させると共に、レンズ枠を駆動することによりレンズを移動するレンズ移動装置で一致し、
Ａ本件請求項１に係る発明においては、この駆動片を前記駆動軸と平行に摺動かつ回動可能に保持するモータ取付体に配設された１本のガイドポールで構成される第２のガイド手段を備えたのに対して、第１引用例に記載の発明は、この構成を有しない点、
Ｂ本件請求項１に係る発明においては、前記駆動片と前記レンズ枠とは光軸方向には隙間なく光軸の直角方向には隙間をもって挿入係合されたのに対して、第１引用例に記載の発明は、この構成を有しない点で相違する。
　そこで、先ず、相違点Ａについて検討すると、第２引用例に、移送ナット５を移送ネジ４と平行に摺動かつ回転可能に保持するガイド６が開示され、ガイド６及び移送モータ９は、何らかの部材に取り付けられなければならないから、相違点Ａは、第２引用例に開示されている。
次に、相違点Ｂについて検討すると、第５引用例に「前記駆動枠２８と前記内筒２４とは連結棒３０で連結され」との記載があるが、単に、固着されたものと推測でき、したがって、相違点Ｂが開示されているとは、認めがたい。
　また、第１引用例及び第５引用例は、いずれも、本件請求項１に係る発明の駆動片とレンズ枠とに相当するものが一体に形成されたものであり、相違点Ｂの構成を取る余地は無い。
　本件請求項１に係る発明は、この構成Ｂの点を有することによって、「精度の悪い要素をレンズ枠の移動及び伝達負荷に影響させない、また、第１のガイド手段部に極力側圧力が加わらない。」という作用効果が期待できるものであるから、前者が、後者に記載された発明であるとも、後者に記載された発明に基づいて、当業者が容易に推考することができたものともいえない。
　したがって、本件請求項１に係る発明は特許出願の際独立して特許を受けることができない発明とすることはできない。
（ｖ）むすび
　以上のとおりであるから、上記訂正請求は、特
許法等の一部を改正する法律（平成６年法律第１１６号）附則第６条第１項の規定によりなお従前
の例によるとされる、特許法第１２０条の４第２項及び第３項で準用する第１２６条第２−４項の規定に適合するので、当該訂正を認める。
（３）特許異議の申立てについての判断
ア.申立ての理由の概要
　申立人筒井　康文は、証拠として甲第１号証（実願昭６３−１５００８１号〔実開平２−７１１５５号公報〕のマイクロフイルム）、甲第２号証（特開昭５６−１１６６２号公報）、甲第３号証（特開昭６０−２３７２５９号公報）、甲第４号証（実願昭６０−１５３３０２号〔実開昭６２−６３８６８号公報〕のマイクロフイルム）、及び甲第５号証（特開平１−２６５２１５号公報）を提出し、訂正前の請求項１に係る発明は、特許法第２９条第２項の規定に違反してなされたものであるから、特許を取り消すべき旨主張している。
イ.判断
〔本件請求項１に係る発明〕
　　本件請求項１に係る発明は、上記（２）（ｉｖ）で示したように、取消理由通知で示した各引用例に記載された発明と同一であるとも、それらから容易に発明をすることができたものとすることができない。
ウ.むすび
　以上のとおりであるから、特許異議申立の理由
及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１２年６月１９日（２０００．６．１９）
【訂正の要旨】
　訂正の要旨
特許請求の範囲の減縮を目的として、下記（１）のように特許請求の範囲を訂正する。また、特許請求の範囲の訂正に応じて、発明の詳細な説明についても、適合性を持たせるために下記（２）のように訂正する。
（１）特許請求の範囲の請求項１を次のとおり訂正する。
　「【請求項１】レンズを保持するレンズ枠と、このレンズ枠を光軸方向に移動可能に保持する２本のガイドポールで構成された第１のガイド手段と、送りねじを有するモータ軸と一体の駆動軸と、この駆動軸の送りねじの円周１８０。以下に螺合する切欠けナットを有する駆動片と、この駆動片を前記駆動軸と平行に摺動かつ回動可能に保持するモータ取付体に配設された１本のガイドポールで構成される第２のガイド手段とを備えたレンズ移動装置であって、前記駆動片は前記駆動軸に挟み込む手段であるアームを備え、前記駆動片と前記レンズ枠とは光軸方向には隙間なく光軸の直角方向には隙間をもって挿入係合され、前記駆動軸の回転により前記駆動片を光軸方向に駆動させると共に、レンズ枠を駆動することによりレンズを移動するレンズ移動装置。」
（２）明細書中の課題を解決するための手段の欄（特許掲載公報第３欄第４２行）の「隙間なく挿入係合され」を「隙間なく光軸の直角方向には隙間をもって挿入係合され」と訂正する。
（５４）【発明の名称】
レンズ移動装置
（５７）【特許請求の範囲】
【請求項１】レンズを保持するレンズ枠と、このレンズ枠を光軸方向に移動可能に保持する２本のガイドポールで構成された第１のガイド手段と、送りねじを有するモータ軸と一体の駆動軸と、この駆動軸の送りねじの円周１８０。以下に螺合する切欠けナットを有する駆動片と、この駆動片を前記駆動軸と平行に摺動かつ回動可能に保持するモータ取付体に配設された１本のガイドポールで構成される第２のガイド手段とを備えたレンズ移動装置であって、前記駆動片は前記駆動軸に挟み込む手段であるアームを備え、前記駆動片と前記レンズ枠とは光軸方向には隙間なく
光軸の直角方向には隙間をもって
【発明の詳細な説明】
産業上の利用分野
　本発明はビデオカメラ等に用いるレンズ移動装置に関するものである。
従来の技術
　近年、ビデオカメラのレンズとして、前玉による合焦方式に代わってマスターレンズ等の前玉以外のレンズによって合焦させるインナーフォーカス方式が提案されている。
　以下図面を参照しながら、上述した従来のレンズ移動装置の一例について説明する。
　第４図は従来のレンズ移動装置の要部断面図を示すものである。第４図において外筒１はマスターレンズ群２を固定した内筒３を光軸方向１０に摺動可能にボールベアリング４を介装して保持している。また、外筒１に固定したモータ取付体８には軸６に送りねじを形成したモータ５が固定され軸６の一端をモータ取付体８に装着した軸受に保持されている。前記軸６の送りねじ部６ａには、めじねを有する移動片７が螺合し、この駆動片９と内筒３とが連結アーム９により結合されている。このとき、外筒１にはアーム９を光軸方向に移動可能にする光軸方向の長穴９ａが設けられている。
　以上の構成により、モータ５の軸６が回転することによって移動片７，アーム９及び内筒３が光軸方向に直線運動し、内筒３に固定されたマスターレンズ群２を合焦させている。
発明が解決しようとする課題
　しかしながら上記のような構成では、送りねじと移動片との摺動性を向上させるためねじにグリス等を塗布する必要があり、移動片の内周全体が送りねじに接しているとグリスの粘性のためモータの負荷が増大し、低温での温度特性を悪化させるため高トルクのモータが必要となり、屋外で使用するビデオカメラにおいて重要な要素である消費電力・重量・体積が共に増加するという問題が有った。また、送りねじと移動片との間には摺動ずるためのクリアランスが有り、このクリアランスのためモータの軸の回転に対するマスターレンズ群の移動距離にヒステリシスが発生し、合焦動作が不安定になると言う問題もあった。さらに、騒音が発生すると言う問題も有していた。
　本発明は上記問題点に鑑み、モータの軸の送りねじの周の１８０°以下に螺合する切欠けナットを送りねじに挟み込むことにより、負荷を低減させるとともにヒステリシスの発生を防止し、かつ騒音のない静かなレンズ移動装置を提供する
ものである。
課題を解決するための手段
　上記課題を解決するために本発明のレンズ移動装置とは、レンズを保持するレンズ枠と、このレンズ枠を光軸方向に移動可能に保持する２本のガイドポールで構成された第１のガイド手段と、送りねじを有するモータ軸と一体の駆動軸と、この駆動軸の送りねじの円周１８０°以下に螺合する切欠けナヅトを有する駆動片と、この駆動片を前記駆動軸と平行に摺動かつ回動可能に保持するモータ取付体に配設された１本のガイドポールで構成される第２のガイド手段とを備えたレンズ移動装置であって、前記駆動片は前記駆動軸に挟み込む手段であるアームを備え、前記駆動片と前記レンズ枠とは光軸方向には隙間なく
光軸の直角方向には隙間をもって
作用
　上記した構成により、切欠けナットは送りねじとの螺合による接触面積が少なくなり、グリスの粘性による負荷の増加を防止することができるので低トルクのモータの使用が可能となり、低消費電力化・小型軽量化が達成できる。又、挟み込む手段は切欠けナットを送りねじに押圧付勢するので送りねじと切欠けナットとの螺合によるバックラッシュをなくし、移動距離のヒステリシスを減少させることができ、正確な合焦動作を行うことができる。
実施例
　以下本発明の一実施例のレンズ移動装置について、図面を参照しながら説明する。
　第１図は本発明の一実施例におけるレンズ移動装置の構成を示す要部断面図で、第２図，第３図は第１図の主要部分の分解の斜視図である。第１図，第２図，第３図においてマスターレンズ１１，１２は樹脂製のレンズ枠１３に加熱カシメ等の手段により保持されており、前記レンズ枠１３は固定鏡筒１４の内部に配設された第１のガイドポール１５，１６により光軸方向１７に摺動可能に保持されている．また、レンズ枠１３の上部には、モータ２０の軸に形成された送りねじ２１ａを有する駆動軸２１に、円周１２０。だけ螺合する切欠けナット１８ａよりなる駆動片１８を挿入する溝１３ａが設けられている。この溝１３ａは駆動片１８を挿入したとき光軸方向には隙間がなく、光軸の直角方向にはわずかな隙間をもって設けられている。
　また、切欠ナット１８ａを有する駆動片１８はその一端を駆動軸２１と平行してモータ取付体２３に配設された第２のガイドポール２４に摺動かつ、回転可能なように保持されるとともに駆動片１８は駆動軸２１を挟み込むためのアーム１８ｃが構成されていることにより、第２のガイドポール２４を支点として、駆動軸２１の送りねじ２１ａに押圧付勢され、切欠けナット１８ａと送りねじ２１ａは隙間なく螺合されている。なお、前記駆動軸２１と駆動片１８の挟み圧力は、レンズ片１３と駆動片１８との保持力より大きくとっている。
　以上のように構成されたレンズ移動装置について、以下その動作を説明する。
　モータ２０が回転すると送りねじ２１ａを有する駆動軸２１を押圧付勢し、小さいクリアランスで螺合した切欠けナット１８ａを有する駆動片１８は第２のガイドポール２４を摺動して光軸方向に移動するのでこの駆動片１８に係合したレンズ枠１３はモータ２０の回転角に対し、正しく所定の移動距離を得、マスターレンズ１１，１２の合焦動作をする。このとき、送りねじ２１ａに螺合する切欠けナット１８ａは、送りねじ２１ａとの接触部分が周方向に対し１２０°しかなく、接触による抵抗ロスを小さくしている。
　以上のように本実施例によれは、モータの駆動軸にレンズ枠を係合した切欠けナットを有する駆動片を挟み込み、この駆動片によってレンズを駆動する負荷を低減させ低トルクのモータの使用が可能となるとともに、ヒステリシスの防止した高精度のレンズ移動装置を提供するものである。
発明の効果
　以上のように本発明は、レンズを保持するレンズ枠と、このレンズ枠を光軸方向に移動可能に保持する第１のガイド手段と、送りねじ部を有するモータの駆動軸と、この駆動軸の送りねじに螺合する切欠けナットを有する駆動片と、この駆動片を保持する第２のガイド手段と、前記切欠けナットを駆動軸に押圧付勢する挟み込み手段とを備えることにより送りねじ部と切欠ナットとの接触面積が少なくなり、グリスの粘性による負荷の増加を防止することができ、低トルクのモータの使用が可能となり、低消費電力化・小型軽量化が達成できる。又、ナットを送りねじ部に押圧しているため、モータの回転に対するレンズ枠の移動のヒステリシスを減少させ、正確な合焦動作を行なうことができるといったすぐれた効果を得ることができる。
【図面の簡単な説明】
第１図は本発明の一実施例におけるレンズ移動装置の構成を示す要部断面図、第２図，第３図は第１図の主要部分の分解斜視図、第４図は従来のレンズ移動装置の要部断面図である。
１１，１２………マスターレンズ，１３………レンズ枠、１５，１６………第１のガイドポール、１８………駆動片、１８ａ………切欠けナット、１８ｃ………駆動片の挟みアーム部、２０………モータ、２１………駆動軸、２１ａ………送りねじ、２４………第２のガイドポール。